(57)【要約】【課題】  時計に衝撃荷重が加わった場合、時計ムーブメントに対する文字板の位置のずれが発生せず、正確な位置決めが可能な文字板の位置決め構造を提供することである。【解決手段】  時計ムーブメント１４に形成された突起２８と、突起に係合する切欠部１８ａが形成された文字板１８と、文字板の外周部に隙間を介して配置されたセル支持部材２２と、時計ムーブメントを隙間を介して収納する時計ケース２４とを備え、突起と切欠部を係合することによって時計ムーブメントに対して文字板を位置決めする時計において、文字板とセル支持部材との隙間は、突起外周部の第１の隙間と突起外周部以外の第２の隙間を有するとともに、第１の隙間は第２の隙間より小さく、時計ムーブメントと時計ケースとの隙間は、突起外周部の第３の隙間と突起外周部以外の第４の隙間を有するとともに、第３の隙間は第４の隙間より小さい。【選択図】      図２
2008298725.tif 000002
【特許請求の範囲】
【請求項１】
時計ムーブメントに形成された突起と、該突起に係合する切欠部が形成された文字板と、該文字板の外周部に隙間を介して配置されたセル支持部材と、前記時計ムーブメントを隙間を介して収納する時計ケースとを備え、前記突起と前記切欠部を係合することによって前記時計ムーブメントに対して前記文字板を位置決めする時計において、
前記文字板と前記セル支持部材との前記隙間は、前記突起外周部の第１の隙間と前記突起外周部以外の第２の隙間を有するとともに、前記第１の隙間は前記第２の隙間より小さく、
前記時計ムーブメントと前記時計ケースとの前記隙間は、前記突起外周部の第３の隙間と前記突起外周部以外の第４の隙間を有するとともに、前記第３の隙間は前記第４の隙間より小さいことを特徴とする時計。
【請求項２】
時計ムーブメントに形成された突起と、該突起に係合する切欠部が形成された文字板と、該文字板の外周部に隙間を介して配置されたセル支持部材と、前記時計ムーブメントを収納する時計ケースと、前記時計ムーブメントと前記時計ケースとの間に介在し、且つ前記時計ムーブメントとの間に隙間を介して配設する中枠とを備え、前記突起と前記切欠部を係合することによって前記時計ムーブメントに対して前記文字板を位置決めする時計において、
前記文字板と前記セル支持部材との前記隙間は、前記突起外周部の第１の隙間と前記突起外周部以外の第２の隙間を有するとともに、前記第１の隙間は前記第２の隙間より小さく、
前記時計ムーブメントと前記中枠との前記隙間は、前記突起外周部の第５の隙間と前記突起外周部以外の第６の隙間を有するとともに、前記第５の隙間は前記第６の隙間より小さいことを特徴とする時計。
【請求項３】
前記突起は、前記時計ムーブメントを構成する地板に設けることを特徴とする請求項１または２のいずれか１項に記載の時計。
【請求項４】
前記地板は、樹脂材料からなるとともに、前記突起が前記地板と一体に形成されていることを特徴とする請求項３に記載の時計。
【請求項５】
前記地板は、樹脂材料からなるとともに、前記突起が前記地板と異なる材料で形成されていることを特徴とする請求項３に記載の時計。
【請求項６】
前記突起は、前記時計ムーブメントを構成する回路支持台に設けることを特徴とする請求項１または２のいずれか１項に記載の時計。
【請求項７】
前記切欠部は、前記文字板の外周に形成された凸部に配設することを特徴とする請求項１乃至６のいずれか１項に記載の時計。
【請求項８】
前記セル支持部材は、太陽電池セル、液晶表示セル、またはエレクトロルミネッセンス素子を支持することを特徴とする請求項１または２のいずれか１項に記載の時計。
【請求項９】
前記文字板は、透光性を有することを特徴とする請求項１または８のいずれか１項に記載の時計。
【請求項１０】
前記突起は、円柱状または角柱状または円弧柱状であることを特徴とする請求項１または９のいずれか１項に記載の時計。
【請求項１１】
前記突起は、前記時計ムーブメントに代えて、前記セル支持部材に設けることを特徴とする請求項１または２のいずれか１項に記載の時計。
【発明の詳細な説明】
【技術分野】
【０００１】
本発明は、時計ムーブメントに対して文字板を位置決めする時計の構造に関する。
【背景技術】
【０００２】
時計ムーブメントに対して文字板を位置決めする時計の構造が記載された特許文献として、たとえば特許文献１と特許文献２がある。
以下、それぞれの特許文献に添付されている図面を使用して、時計ムーブメントに対する文字板の位置決め構造を説明する。
【０００３】
はじめに、特許文献１における文字板の位置決め構造を説明する。
透明板からなる文字板の外周部に凸部を設け、さらに凸部の中央部に切欠部を設ける。また、文字板の下面と外周部には、支持部材を配設する。この支持部材の外周部には、文字板の凸部に対応する凹部を設け、さらに切欠部に係合する突起を設ける。支持部材の下に時計ムーブメントを配置している。
文字板の切欠部と、支持部材の突起を嵌合することによって、文字板を支持部材に位置決めして固定している。このことにより、時計ムーブメントに対して文字板を位置決めすることができる。
【０００４】
つぎに、特許文献２の文字板の位置決め構造を説明する。
文字板の外周部に切欠きを設ける。文字板の下面には文字板受リングを配設する。この文字板受リングには、文字板の切欠きに対応する連結突起を設ける。文字板受リングの下に時計ムーブメントを配置している。
文字板の切欠きと、文字板受リングの連結突起を嵌め合わせることによって、文字板を文字板受リングに位置決めして固定している。このことにより、時計ムーブメントに対して文字板を位置決めすることができる。
【０００５】
【特許文献１】国際公開第ＷＯ９５／２７２３４号パンフレット（第１５頁第１４行−第１６頁第８行目、図６−図８）
【特許文献２】実開昭５２−８９１４８号（第２頁第１７行−第４頁第１３行目、第１図−第２図）
【発明の開示】
【発明が解決しようとする課題】
【０００６】
特許文献１と特許文献２における文字板の位置決め構造においては、文字板を時計ムーブメントに位置決めして固定することができ、さらに組立てや修理の際の作業性が向上するという利点がある。
しかし、特許文献１および特許文献２の時計において、横方向（文字板表面と同じ方向）の衝撃が加わった場合、突起（特許文献１）や連結突起（特許文献２）に文字板が衝突して、その結果、突起や連結突起が、変形して曲がる現象が発生する。さらに、大きな衝撃荷重が加わった場合、あるいは重量の大きな文字板を採用したときは小さな衝撃荷重で、突起や連結突起が破損するという不具合が発生する。このため、時計ムーブメントに対する文字板の位置のずれが発生して、正確な位置決めができなくなるという問題点がある。
【０００７】
本発明の目的は、上記した課題を解決して、時計に衝撃が加わった場合、時計ムーブメ
ントに対する文字板の位置のずれが発生せず、正確な位置決めが可能な文字板の位置決め構造を提供することである。
【課題を解決するための手段】
【０００８】
上記目的を達成するために、本発明の時計は、下記記載の手段を採用する。
本発明の時計は、時計ムーブメントに形成された突起と、該突起に係合する切欠部が形成された文字板と、該文字板の外周部に隙間を介して配置されたセル支持部材と、前記時計ムーブメントを隙間を介して収納する時計ケースとを備え、前記突起と前記切欠部を係合することによって前記時計ムーブメントに対して前記文字板を位置決めする時計において、前記文字板と前記セル支持部材との前記隙間は、前記突起外周部の第１の隙間と前記突起外周部以外の第２の隙間を有するとともに、前記第１の隙間は前記第２の隙間より小さく、前記時計ムーブメントと前記時計ケースとの前記隙間は、前記突起外周部の第３の隙間と前記突起外周部以外の第４の隙間を有するとともに、前記第３の隙間は前記第４の隙間より小さいことを特徴とする。
本発明の時計は、時計ムーブメントに形成された突起と、該突起に係合する切欠部が形成された文字板と、該文字板の外周部に隙間を介して配置されたセル支持部材と、前記時計ムーブメントを収納する時計ケースと、前記時計ムーブメントと前記時計ケースとの間に介在し、且つ前記時計ムーブメントとの間に隙間を介して配設する中枠とを備え、前記突起と前記切欠部を係合することによって前記時計ムーブメントに対して前記文字板を位置決めする時計において、前記文字板と前記セル支持部材との前記隙間は、前記突起外周部の第１の隙間と前記突起外周部以外の第２の隙間を有するとともに、前記第１の隙間は前記第２の隙間より小さく、前記時計ムーブメントと前記中枠との前記隙間は、前記突起外周部の第５の隙間と前記突起外周部以外の第６の隙間を有するとともに、前記第５の隙間は前記第６の隙間より小さいことを特徴とする。
本発明の時計における前記突起は、前記時計ムーブメントを構成する地板に設けることを特徴とする。
本発明の時計における前記地板は樹脂材料からなるとともに、前記突起が前記地板と一体に形成されていることを特徴とする。
本発明の時計における前記地板は、樹脂材料からなるとともに、前記突起が前記地板と異なる材料で形成されていることを特徴とする。
本発明の時計における前記突起は、前記時計ムーブメントを構成する回路支持台に設けることを特徴とする。
本発明の時計における前記切欠部は、前記文字板の外周に形成された凸部に配設することを特徴とする。
本発明の時計における前記セル支持部材は、太陽電池セル、液晶表示セル、またはエレクトロルミネッセンス素子を支持することを特徴とする。
本発明の時計における前記文字板は、透光性を有することを特徴とする。
本発明の時計における前記突起は円柱状または角柱状または円弧柱状であることを特徴とする。
本発明の時計における前記突起は、前記時計ムーブメントに代えて、前記セル支持部材に設けることを特徴とする。
【発明の効果】
【０００９】
本発明においては、突起外周部とセル支持部材との隙間、および突起外周部の時計ムーブメントと時計ケースまたは中枠との隙間を、突起外周部以外の隙間より小さくしている。
これにより、時計が衝撃荷重を受けたとき、セル支持部材と時計ケースまたは中枠によって、突起の変形量を小さくするように抑制できる。すなわち、突起は弾性変形内の変形量に抑制できる。このため、突起が塑性変形して曲がる現象や、破損するという不具合は発生しない。この結果、時計ムーブメントに対する文字板の位置のずれは発生せず、正確
な位置決めが可能となる。
【発明を実施するための最良の形態】
【００１０】
以下、図面を用いて本発明を実施するための最良の形態を説明する。はじめに、第１の実施形態における文字板の時計ムーブメントに対する位置決め構造を、図面を用いて説明する。
図１は本発明の第１の実施形態における時計のケースと時計ムーブメントの相互関係を示すように胴とベゼルの上面を部分的に切断して示す平面図である。図２は図１の要部を拡大して示す平面図である。図３は図２の一部の断面を拡大して示す断面図である。以下、図１、図２、および図３を交互に参照して説明する。
【００１１】
図１、図２、および図３に示すように、胴２４ａとベゼル２４ｂから構成する時計ケース２４の内部に時計ムーブメント１４を収納する。胴２４ａには裏蓋３２を取り付け、ベゼル２４ｂには風防ガラス（図示せず）を取り付ける。胴２４ａと裏蓋３２との間、およびベゼル２４ｂと胴２４ａとの間には、それぞれパッキン３０を配設して、時計ケース２４内を気密構造とする。
時計ムーブメント１４を構成する地板１６には、いずれも図示しないが、以下のように部材を配設して、以下の記載のように動作させ、時刻表示を行なう。時間基準源となる水晶振動子の振動を、回路基板に実装する半導体集積回路によって分周して、ステップモータを構成するコイルブロックに、所定周期たとえば１秒周期の信号として与え、ロータを所定周期で回転させる。ロータの回転は、減速輪列である四番車および三番車を介して中心車に伝達し、中心車は１時間で１回転する。中心車の回転は、減速輪列である日の裏車を介して筒車に伝達し、筒車は１２時間または２４時間で１回転する。筒車には、指針の時針を押込固定する。中心車には指針の分針を押込固定する。
【００１２】
時計ムーブメント１４には、指針とともに時刻表示を行なう文字板１８を配設する。この文字板１８の外周部に２つの凸部１８ｂを設ける。凸部１８ｂは、指針軸を貫通させるための開口を中心にして、ほぼ対向する位置の文字板１８に設ける。
この凸部１８ｂの平面方向の中央付近には、外周側に開口した切欠部１８ａを設ける。
【００１３】
文字板１８の外周には、時計ムーブメント１４を構成するセル支持部材２２を、文字板１８との間に所定の隙間を介して配設する。文字板１８とセル支持部材２２との間の隙間は、時計１２の組立て、および分解するために必要である。セル支持部材２２は、図示しないねじやフックなどの固定手段を用いて、地板１６に固定されている。
セル支持部材２２は、光照射によって起電力を発生する太陽電池セルや、基板間に液晶材料を挟持して選択的に液晶材料を駆動して所定の情報を表示する液晶表示セルや、基板間に挟持する有機物または無機物からなるエレクトロルミネッセンス層に電界を印加することによって発光するエレクトロルミネッセンス素子を支持する部材である。セル支持部材２２は樹脂材料からなる。
また、文字板１８の下面に、セル支持部材２２にて太陽電池セルを保持したときは、透光性の文字板１８を使用し、太陽電池セルに光照射されるようにする。さらにまた、文字板１８の下面に、セル支持部材２２にてエレクトロルミネッセンス素子を保持したときは、透光性の文字板１８を使用し、発光時に時刻を視認されるようにする。
【００１４】
時計ムーブメント１４を構成するセル支持部材２２と時計ケース２４との間にも、時計１２の組立て、および分解を行なう必要上、隙間２０ｃ、２０ｄを設けている。
【００１５】
時計ムーブメント１４を構成するとともに、樹脂材料からなる地板１６には、文字板１８の切欠部１８ａに係合する突起２８を設ける。この突起２８は、地板１６と一体に形成し、円柱状の形状とする。
【００１６】
地板１６に形成した突起２８と、文字板１８に形成した切欠部１８ａを係合することによって、時計ムーブメント１４に対して文字板１８を位置決めして、固定している。
突起２８と切欠部１８ａは、時刻のほぼ３時と９時を結ぶ線上に配設している。これは以下に記す理由による。時刻の１２時と６時を結ぶ線上の時計ケース２４には、バンド（図示せず）が取り付けられており、このバンドで衝撃を吸収することができる。よって、３時と９時を結ぶ方向のほうが、時計１２に加わる衝撃がより大きくなるため、この方向における突起２８の耐衝撃性を高めるためである。
【００１７】
図２に示すように、本発明では、文字板１８とセル支持部材２２との間の隙間２０ａ、２０ｂを、以下に記載するように設定する。
すなわち、突起２８外周部の第１の隙間２０ａは、突起２８外周部以外の第２の隙間２０ｂより小さくしている。第１の隙間２０ａは、１５μｍ程度とすることが好ましい。したがって、第２の隙間２０ｂは、第１の隙間２０ａより大きな寸法である２０μｍ以上とする。セル支持部材２２における突起２８と対向する内周部は、内側に膨らんだような形状にしている。
【００１８】
さらに本発明では、時計ムーブメント１４を構成するセル支持部材２２と時計ケース２４との間の隙間２０ｃ、２０ｄを、以下に記載するように設定する。
すなわち、突起２８付近の外周部の第３の隙間２０ｃは、突起２８から離れた外周部の第４の隙間２０ｄより小さくしている。第３の隙間２０ｃは、２５μｍ程度とすることが好ましい。したがって、第４の隙間２０ｄは、第３の隙間２０ｃより大きな寸法である３０μｍ以上とする。セル支持部材２２における突起２８と対向する外周部は、外側に膨らんだような形状にしている。
【００１９】
突起２８外周部における突起２８とセル支持部材２２との間の隙間２０ａ、２０ｂ、およびセル支持部材２２と時計ケース２４との間の隙間２０ｃ、２０ｄを、上記したように設定することにより、本発明では以下に記載する作用を奏する。
図２および図３に図示されているように、突起２８の外周部には、突起２８高さとほぼ同じ厚さを有するセル支持部材２２が第１の隙間２０ａを介して配設され、さらにセル支持部材２２の突起２８外周部にもセル支持部材２２の厚さ方向のほぼ全域に当接する時計ケース２４のベゼル２４ｂが、第３の隙間２０ｃを介して配設されている。
【００２０】
時計１２が、文字板１８表面と同じ方向の横方向の衝撃荷重を受けたとき、文字板１８の切欠部１８ａを介して、突起２８に横方向の力が加わる。
突起２８に横方向の衝撃荷重が加わると、突起２８が変形して、横方向の力はセル支持部材２２と時計ケース２４に伝わる。
【００２１】
本発明では、前記したように、突起２８外周部における突起２８とセル支持部材２２との間の第１の隙間２０ａを、突起２８外周部以外の第２の隙間２０ｂより小さくするとともに、突起２８外周部におけるセル支持部材２２と時計ケース２４との間の第３の隙間２０ｃを、突起２８外周部以外の第４の隙間２０ｄより小さくしている。
このため、突起２８に加わる横方向の衝撃荷重は、セル支持部材２２と時計ケース２４も受けることになる。すなわち、突起２８の変位量は、セル支持部材２２と時計ケース２４とによって制限されて、小さくできる。したがって、第１の隙間２０ａと第３の隙間２０ｃが小さいことから、突起２８は弾性変形内の変形量に抑制できる。
【００２２】
したがって、本発明では、突起２８が塑性変形して曲がる現象や、破損するという不具合は発生しない。また、重量の大きな文字板１８を使用した場合でも、突起２８が塑性変形して曲がる現象や、破損するという不具合は発生しない。
この結果、時計ムーブメント１４に対する文字板１８の位置のずれは発生せず、正確な位置決めが可能となる。
【００２３】
つぎに、本発明の第２の実施形態における文字板の位置決め構造を、図４、図５、および図６を交互に参照して説明する。図４は本発明の第２の実施形態における時計のケースと時計ムーブメントの相互関係を示すように胴とベゼルの上面を部分的に切断して示す平面図である。図５は図４の要部を拡大して示す平面図である。図６は図５の一部の断面を拡大して示す断面図である。
第２の実施形態を示す図４ないし図６において、第１の実施形態を示す図１ないし図３と同じ構成部材には同一の符号を付し、共通する構造の説明は省略または簡略化する。
【００２４】
第１の実施形態と第２の実施形態との相違点は、時計ムーブメント１４を構成するセル支持部材２２と時計ケース２４との間に中枠２６を配設する点である。中枠２６は、衝撃を緩和する働きや、同一の時計ムーブメントを異なる形状の時計ケースに収納するための補助部材として使用する。
【００２５】
図５に示すように、本発明では、文字板１８とセル支持部材２２との間の隙間を、以下に記載するように設定する。
すなわち、突起２８外周部の第１の隙間２０ａは、突起２８外周部以外の第２の隙間２０ｂより小さくしている。第１の隙間２０ａは、１５μｍ程度とすることが好ましい。したがって、第２の隙間２０ｂは、第１の隙間２０ａより大きな寸法である２０μｍ以上とする。セル支持部材２２における突起２８と対向する部分は、内側に膨らんだような形状にしている。
【００２６】
さらに本発明では、時計ムーブメント１４を構成するセル支持部材２２と中枠２６との間の隙間２０ｅ、２０ｆを、以下に記載するように設定する。
すなわち、突起２８付近の外周部の第５の隙間２０ｅは、突起２８から離れた外周部の第６の隙間２０ｆより小さくしている。第５の隙間２０ｅは、２５μｍ程度とすることが好ましい。したがって、第６の隙間２０ｆは、第５の隙間２０ｅより大きな寸法である３０μｍ以上とする。セル支持部材２２における突起２８と対向する外周部は、外側に膨らんだような形状にしている。
【００２７】
なお、中枠２６と時計ケース２４とは、突起２８外周部では中枠２６と時計ケース２４とを当接させて、突起２８外周部以外では中枠２６と時計ケース２４との間の隙間を設けている。
なお、図４に示す実施形態では、突起２８外周部以外の箇所でも中枠２６と時計ケース２４とを当接させている。
【００２８】
時計１２が、文字板１８表面と同じ方向の横方向の衝撃荷重を受けたとき、文字板１８の切欠部１８ａを介して、突起２８に横方向に力が加わる。
突起２８に横方向の衝撃荷重が加わると、突起２８が変形して、横方向の力はセル支持部材２２と中枠２６と時計ケース２４に伝わる。
【００２９】
本発明では、前記したように、突起２８外周部における突起２８とセル支持部材２２との間の第１の隙間２０ａを、突起２８外周部以外の第２の隙間２０ｂより小さくするとともに、セル支持部材２２と中枠２６との間の突起２８外周部の第５の隙間２０ｅを、突起２８外周部以外の第６の隙間２０ｆより小さくしている。
このため、突起２８に加わる横方向の衝撃荷重は、セル支持部材２２と中枠２６と時計ケース２４も受ける。すなわち、突起２８の変位量は、セル支持部材２２と中枠２６と時計ケース２４とによって制限されて、小さくすることができる。したがって、突起２８は
弾性変形内の変形量に抑制できる。
【００３０】
このため、本発明では、突起２８が塑性変形して曲がる現象や、破損するという不具合は発生しない。また、重量の大きな文字板１８を使用した場合でも、突起２８が塑性変形して曲がる現象や、破損するという不具合は発生しない。
この結果、時計ムーブメント１４に対する文字板１８の位置のずれは発生せず、正確な位置決めが可能となる。
【００３１】
以上の説明では、突起２８は樹脂材料からなる地板１６に一体に形成する実施形態で説明したが、樹脂材料からからなる地板１６に、金属材料からなる円柱状材料を圧入して、突起２８としてもよい。
さらに、地板１６の材料は、真鍮などの金属材料で形成して、金属材料からなる円柱状材料を圧入して、突起２８としてもよい。
【００３２】
さらに、突起２８は、時計ムーブメント１４を構成する回路支持台に形成してもよい。回路支持台は、半導体集積回路チップや水晶振動子やチップ電子部品を実装する回路基板を支持する部材である。
またさらに、突起２８は時計ムーブメント１４に形成する代わりに、セル支持部材２２に形成してもよい。
【００３３】
また、突起２８の形状は、以上の説明では円柱状で説明したが、角柱状や、セル支持部材２２と対向する側が円弧形状の円弧柱状でもよい。突起２８をセル支持部材２２の内周円弧に倣う円弧柱状で構成すると、衝撃荷重を受ける面積が大きなり、突起２８の変形や破損をよりいっそう防止できる。
突起２８（切欠部１８ａ）は２箇所設ける実施形態で説明したが、３箇所あるいは４箇所に設けてもよい。
【００３４】
文字板１８に凸部１８ｂを形成して、その凸部１８ｂに切欠部１８ａを設ける実施形態で説明したが、凸部１８ｂを形成することなく、文字板１８の外周部に切欠部１８ａを形成してもよい。
また、セル支持部材２２の外周部には時計ケース２４のベゼル２４ｂが介在する実施形態で説明したが、セル支持部材２２の外周部には時計ケース２４の胴２４ａが介在してもよい。
【図面の簡単な説明】
【００３５】
【図１】本発明の第１の実施形態における時計のケースと時計ムーブメントの相互関係を示すように胴とベゼルの上面を部分的に切断して示す平面図である。
【図２】図１の要部を拡大して示す平面図である。
【図３】図２の一部の断面を拡大して示す断面図である。
【図４】本発明の第２の実施形態における時計のケースと時計ムーブメントの相互関係を示すように胴とベゼルの上面を部分的に切断して示す平面図である。
【図５】図４の要部を拡大して示す平面図である。
【図６】図５の一部の断面を拡大して示す断面図である。
【符号の説明】
【００３６】
１２  時計
１４  時計ムーブメント
１６  地板
１８  文字板
１８ａ  切欠部
２０ａ〜２０ｆ  第１〜第６の隙間
２２  セル支持部材
２４  時計ケース
２６  中枠
２８  突起
３０  パッキン
【図１】
2008298725.tif 000003
【図２】
2008298725.tif 000004
【図３】
2008298725.tif 000005
【図４】
2008298725.tif 000006
【図５】
2008298725.tif 000007
【図６】
2008298725.tif 000008